(57)【要約】【課題】簡単な構成で配光ムラを防止できるようにする。【解決手段】反射傘２１Ｂの一対の側反射部２１２は、主反射部２１１の前端部よりも前方に突出する突出部２１２ａを備え、第２の光透過パネル２５を挿入したときに、側反射部２１２の突出部２１２ａが、第２の光透過パネル２５から逸れる方向に向かう光（破線で示す）が第２の光透過パネル２５を透過せずに外部へ照射されるのを阻止する。【選択図】図４
2014006293.tif 000002
【特許請求の範囲】
【請求項１】
光源および反射傘を含む発光部と、
前記発光部の前方光路に挿入された第１の光透過パネルとを有し、
前記第１の光透過パネルの前方光路に更に、所定の光学作用面部を有する第２の光透過パネルを挿脱可能な照明装置であって、
前記第２の光透過パネルを前記第１の光透過パネルの前方光路に挿入したとき、前記第１の光透過パネルの透過光は、前記第２の光透過パネルの前記光学作用面に向かう光と、前記光学作用面部から逸れる方向に向かう光とを含み、
前記反射傘は、前記光源からの光を照射対象に向けて反射し、主に照射対象の中央部の照明に寄与する主反射部と、照明光の光軸を挟んで離間して配置され、光源からの光を互いに交叉する方向に反射することで、主に照射対象の両側部の照明に寄与する一対の側反射部とを有し、前記一対の側反射部は、前記主反射部の前端部よりも前方に突出する突出部を備え、前記第２の光透過パネルを挿入したときに、前記側反射部の突出部が、前記光学作用面部から逸れる方向に向かう前記光が前記光学作用面部を透過せずに外部へ照射されるのを阻止するよう構成したことを特徴とする照明装置。
【請求項２】
前記第２の光透過パネルを挿入したときに、前記側反射部の突出部は、前記光学作用面部から逸れる方向に向かう前記光を反射して前記光学作用面部を透過させることを特徴とする請求項１に記載の照明装置。
【請求項３】
前記光学作用面部から逸れる方向に向かう前記光は、前記第２の光透過パネルそのものから逸れる方向に向かう光であることを特徴とする請求項１または２に記載の照明装置。
【請求項４】
前記第２の光透過パネルを使用しないときに、前記第１の光透過パネルの前方光路から退避された前記光透過パネルを収納する収納部を更に備えたことを特徴とする請求項１〜３のいずれか１項に記載の照明装置。
【請求項５】
前記所定の光学作用面部は、光を拡散する作用を持つことを特徴とする請求項１〜４のいずれか１項に記載の照明装置。
【発明の詳細な説明】
【技術分野】
【０００１】
本発明は、光学特性を有する光透過パネルを照明光の光路に挿脱可能な照明装置に関する。
【背景技術】
【０００２】
ワイドパネルを内蔵し、フレネルレンズの前方光路にワイドパネルを出し入れ可能なカメラ用電子閃光装置が知られている（例えば、特許文献１参照）。
【先行技術文献】
【特許文献】
【０００３】
【特許文献１】特開２０１０−１６４８７０号公報
【特許文献２】特許第４５９２９３３号公報
【発明の概要】
【発明が解決しようとする課題】
【０００４】
特許文献１のワイドパネルは内蔵式であるため、その構造上、発光窓の全面を被うことができない（左右部分が空いてしまう）。このため、フレネルレンズを通過した照明光のうち、中央の大部分はワイドパネルを通過するが、左右部分の光はワイドパネルを通過せずに被写体に導かれ、配光ムラが生ずるおそれがある。
【０００５】
因みに、特許文献２の照明装置は、上記のような配光ムラを防止するものであるが、ワイドパネル（光拡散アダプタ）の表面および裏面の双方に拡散作用面部を形成する必要がある。
【課題を解決するための手段】
【０００６】
本発明は、光源および反射傘を含む発光部と、発光部の前方光路に挿入された第１の光透過パネルとを有し、第１の光透過パネルの前方光路に更に、所定の光学作用面部を有する第２の光透過パネルを挿脱可能な照明装置に適用され、第２の光透過パネルを第１の光透過パネルの前方光路に挿入したとき、第１の光透過パネルの透過光は、第２の光透過パネルの光学作用面に向かう光と、光学作用面部から逸れる方向に向かう光とを含み、反射傘は、光源からの光を照射対象に向けて反射し、主に照射対象の中央部の照明に寄与する主反射部と、照明光の光軸を挟んで離間して配置され、光源からの光を互いに交叉する方向に反射することで、主に照射対象の両側部の照明に寄与する一対の側反射部とを有し、一対の側反射部は、主反射部の前端部よりも前方に突出する突出部を備え、第２の光透過パネルを挿入したときに、側反射部の突出部が、光学作用面部から逸れる方向に向かう光が光学作用面部を透過せずに外部へ照射されるのを阻止するよう構成したことを特徴とする。
【発明の効果】
【０００７】
本発明によれば、簡単な構成で配光ムラを防止できる。
【図面の簡単な説明】
【０００８】
【図１】一実施形態における照明装置の外観斜視図。
【図２】照明装置の側面断面図であり、（ａ）がワイドパネル収納時を、（ｂ）がワイドパネル使用時をそれぞれ示す。
【図３】反射傘の構成を説明する斜視図。
【図４】反射傘の作用を説明する図で、照明装置の主要部を上方から見た図。
【図５】反射傘の他の実施形態を示す図。
【図６】従来型の反射傘を示す図。
【発明を実施するための形態】
【０００９】
図面を参照して、本発明をカメラ用外付け閃光装置に適用した場合の一実施形態を説明する。
図１は本実施形態における閃光装置の外観斜視図である。閃光装置は、本体部１０と、本体部１０に対して水平／垂直の２軸回りに回動可能に軸支された頭部２０と、カメラボディに装着するための脚部３０とを有して成る。
【００１０】
図２は閃光装置の側面断面図である。閃光装置の頭部２０は、発光部２１と、発光部２１の前方光路に固定的に配置されるフレネルレンズ２２と、閃光発光用の電荷を蓄えるメインコンデンサ２３と、これらの部材２１〜２３を収容する筐体（以下、頭部筐体）２４とを有して成る。
【００１１】
発光部２１は、閃光放電管（例えば、キセノン管）２１Ａと、放電管２１Ａを被うように配置された反射傘２１Ｂとを有し、頭部筐体２４内を前後方向（照明光の光軸方向）に移動可能に配置される。一般的には、カメラに装着されたレンズの焦点距離に応じて発光部２１が自動的に移動し、その焦点距離に適した配光角が得られるポジションをとる。
【００１２】
閃光放電管２１Ａが閃光発光すると、その射出光のうち１／３程度が直接、残りの２／３程度が反射傘２１Ｂで反射されて前方に向かい、凸レンズとして作用するフレネルレンズ２２を透過して外部に照射され、被写体の照明に寄与する。
【００１３】
また、本実施形態の閃光装置は、照明光の照射角を広げるためのワイドパネル２５を内蔵している。ワイドパネル２５は、不使用時には、図２（ａ）に示すように筐体上面の収納部２６に収納されている。収納部２６は、スリット状の開口を有する孔である。ワイドパネル２５を使用するときは、これを手動で収納部２６から引き出し、下方に倒してフレネルレンズ２２の前方光路に挿入する（図２（ｂ））。ワイドパネル２５を挿入すると、不図示のセンサがこれを検知し、発光部２１が自動的に最前部（ワイドポジション）に移動される。この場合、フレネルレンズ２２を透過した照明光は、ワイドパネル２５をさらに透過することで、拡散されて被写体に向かう。
【００１４】
ところで、フレネルレンズ２２はアクリル樹脂（例えば、ＰＭＭＡ）から成り、耐熱性が比較的低いため、その直ぐ後方に発光部２１を位置させると、フレネルレンズ２２が熱により損傷（例えば、溶融）するおそれがある。特に短時間で複数回の発光を行ったような場合には、フレネルレンズ２２の熱損傷が起きる可能性が高い。これを防止するため、発光部２１が最も前方に繰り出されたときでも、発光部２１とフレネルレンズ２２との間に２〜５ｍｍ程度の隙間が空くようにしている。
【００１５】
しかしながら、このような構成にすると、ワイドパネル使用時に次のような問題が発生する。
上述したように、ワイドパネル２５は筐体上部の収納部２６に収納されるようになっているため、必然的にワイドパネル２５の横幅は頭部筐体２４の横幅よりも狭くなる。このため、ワイドパネル２５は、頭部筐体２４の横幅ほぼ一杯にとってある発光窓Ｗの全体を覆うことができず、発光窓Ｗの両サイド部分から射出する照明光は、そのままではワイドパネル２５を通過せずに被写体に向かう。この場合、ワイドパネル通過部分と非通過部分との間に配光ムラが生じ、写真の出来映えに影響を与える。発光部２１をフレネルレンズ２２に極力近づけて配置できれば、ワイドパネル２５を通過しない光の発生を阻止できるが、上述のようにフレネルレンズ２２の熱損傷の問題があり、採用できない。
【００１６】
そこで本実施形態では、反射傘２１Ｂの形状を工夫することで上記問題を解決している。
【００１７】
図３は反射傘２１Ｂの外観斜視図である。反射傘２１Ｂは、所定の反射率を持つ一枚の金属板を折り曲げて構成されるもので、湾曲反射面を持つ湾曲部２１１と、その左右端に連なる一対の側反射部２１２とから成る。湾曲部２１１での反射光は、主に被写体の中央部の照明に寄与し、一対の側反射部２１２での反射光は、互いに交叉する方向に進むことで、主に被写体の両側部の照明に寄与する。また、各側反射部２１２は、湾曲部２１１の前端よりも前方に突出する突出部２１２ａを有している。因みに、図６は従来の反射傘を示し、側反射部に突出部は存在しない。
【００１８】
図４は閃光装置主要部を上方から見た概念図であり、発光部２１が最も前方に繰り出され、かつワイドパネル２５がフレネルレンズ２２の前方光路に挿入された状態を示す。図から分かるように、反射傘２１Ｂの側反射部２１２に設けた突出部２１２ａとフレネルレンズ２２との間には、殆ど隙間がない。このため、発光部２１から発した光のうち、ワイドパネル２５から逸れた方向に向かう光も、側反射部２１２の突出部２１２ａで反射された後、フレネルレンズ２２およびワイドパネル２５を順に透過して被写体に照射される。もともとワイドパネル２５に向かう光がフレネルレンズ２２およびワイドパネル２５を透過することは言うまでもない。因みに、図４の破線は、上記突出部２１２ａのない従来型の反射傘を用いた場合にワイドパネル２５を通過せずに被写体に導かれる光を示している。
【００１９】
ここで、突出部２１２ａとフレネルレンズ２２との間には殆ど隙間がないが、反射傘２１Ｂの主反射部である湾曲部２１１とフレネルレンズ２２との間には、２〜５ｍｍ程度の隙間があり、閃光放電管２１Ａをその分だけフレネルレンズ２２から離すことができる。また、左右の突出部２１ａの間には、上下に抜ける空気通路が形成され、閃光放電管２１Ａの発光によって高温となった空気が反射傘２１Ｂ内に籠もることがない（図３の波線の矢印は、高温となった空気の流れを示している）。したがって、上述したようなフレネルレンズ２２の熱損傷が防止できる。
【００２０】
図５は、従来型の反射傘（図６）に突出部２１２ｂを後から取り付けたものであり、これを用いても上述と同様の作用効果が得られる。
【００２１】
なお以上では、ワイドパネルを内蔵した閃光装置を示したが、別体のワイドパネルを発光窓に着脱するタイプの閃光装置にも本発明を適用できる。例えば特許文献２には、コ字状のワイドパネルが着脱可能な閃光装置が記載されているが、上述のように反射傘を構成すれば、ワイドパネルの表面側の左右部分に光学作用面部を形成する必要はなくなる。すなわち、ワイドパネルのうち、光学作用面が形成されていない左右部分に向かう光を側反射板の突出部で反射し、光学作用面が形成された中央部分を通過させて被写体に導くことができる。
【００２２】
また、第１の光透過パネルとしてフレネルレンズを、第２の光透過パネルとしてワイドパネルをそれぞれ例に挙げたが、これらに限定されない。例えば第１の光透過パネルは、レンズ作用を持たない単なる保護パネルでもよく、第２の光透過パネルは、拡散以外の作用を持つパネル（例えば、カラーフィルタ等）であってもよい。第１の光透過パネルがフレネルレンズと保護パネル、あるいは他の作用を持つパネル（レンズ）との２枚構成となっていてもよい。さらに、外付けの閃光装置にて説明したが、カメラに内蔵された閃光装置や、同様の構成を有する閃光装置以外の照明装置にも本発明を適用できる。
【００２３】
また、側反射板の突出部は必ずしも反射作用を持たなくてもよく、配光ムラを防止するという目的に照らせば、単なる遮光でもよい。ただし、反射作用を持たせた方が光量的に有利である。
【符号の説明】
【００２４】
２０  閃光装置の頭部
２１  発光部
２１Ａ  閃光放電管
２１Ｂ  反射傘
２２  フレネルレンズ
２５  ワイドパネル
２６  ワイドパネルの収納部
２１１  主反射部
２１２  側反射部
２１２ａ  突出部
Ｗ  発光窓
【図１】
2014006293.tif 000003
【図２】
2014006293.tif 000004
【図３】
2014006293.tif 000005
【図４】
2014006293.tif 000006
【図５】
2014006293.tif 000007
【図６】
2014006293.tif 000008